(57)【要約】【課題】踏み板の高さを無段階に調整可能で、天板を必要な高さに簡単にセットすることができ、足が天板の下部に入らないような安全で見栄えの向上した踏み台を提供する。【解決手段】踏み台１１は、矩形状踏み板１２の下面四隅に高さの調節が可能な支持脚１３を設けて形成され、各支持脚１３は、踏み板１２の下面に固定した筒状の上部脚体２０と、上記上部脚体２０内に納まることができ、この上部脚体２０の下端部から出没自在となる下部脚体２１と、この下部脚体２１を貫通して上部脚体２０に設けたねじ孔に螺合した高さ調整ねじとで、無段階の高さ調節可能となり、上記した踏み板１２の前部側で両側に位置する前部支持脚１３ａの間に、上部脚体２０間に張設した固定前面パネル１４と、下部脚体２１間に張設され、固定前面パネル１４の背面側でこの下部脚体２１と一体に上下動する可動前面パネル１５が設けられている。【選択図】  図１
2005002718.tif 000002
【特許請求の範囲】
【請求項１】
矩形状踏み板の下面四隅に高さの調節が可能な支持脚を設け、各支持脚が、踏み板の下面に固定した筒状の上部脚体と、上記上部脚体内に納まることができ、この上部脚体の下端部から出没自在となる下部脚体と、上記下部脚体を貫通し、上部脚体側に設けたねじ孔に螺合した高さ調整ねじとで無段階の高さ調節可能に形成され、上記矩形状踏み板の前部側で両側に位置する前部支持脚の間に、上部脚体間に張設した固定前面パネルと、下部脚体間に張設され、固定前面パネルの背面側でこの下部脚体と一体に上下動する可動前面パネルを設けた踏み台。
【請求項２】
上記前部支持脚の上部脚体に、両側前部支持脚の互いに対向する側で固定前面パネルよりも後方の位置に、下端で開放する上下方向の切れ目を設け、下部脚体間に張設した可動前面パネルの端部がこの切れ目内に上下動可能に収まり、上記固定前面パネルと可動前面パネルは、下部脚体が最も下降位置にあるときでも、前後の重なり部分を確保するように設けられている請求項１に記載の踏み台。
【発明の詳細な説明】
【０００１】
【発明の属する技術分野】
この発明は、玄関の土間に設置し、玄関と土間の段差を階段状にすることで玄関への昇り降りが安全に行えるようにする踏み台に関する。
【０００２】
【従来の技術】
例えば、一般的な日本家屋は、玄関と土間に大きな段差があり、特に、高齢者や子供においては、玄関への昇り降りがこの段差によって体力を必要とするだけでなく、困難や危険を伴うものとなる。
【０００３】
このような玄関と土間の段差によって生じる問題を解消するため、玄関の土間に踏み台を設置し、玄関と土間の段差を階段状にすることで玄関への昇り降りが体力を要することなく安全に行えるようにしている。
【０００４】
玄関の土間に設置する踏み台１は、図７のように、所定の平面的な大きさを有する矩形状踏み板２の下面四隅に支持脚３を設けたものであり、この踏み台１を土間に設置すれば踏み板２が玄関と土間の間に位置して段差を階段状にし、踏み台１の踏み板２を介して玄関への昇り降りを行うものである。
【０００５】
ところで、玄関と土間の段差は建物によって異なると共に、使用する人の好みもあって、踏み台１は踏み板２の高さ位置を調整することができるようにする必要がある。
【０００６】
従来の踏み台１における踏み板２の高さ位置の調整は、図７に示したように、踏み板２の下面四隅に取り付けた支持脚３の下端に、ねじ式の接地部材４を支持脚３のねじ孔に螺合し、支持脚３の下端と接地部材４の間に筒状の調整スペーサ５を介在させ、この調整スペーサ５の長短の選択や数の選択により、踏み台１の踏み板２の高さを調節するようにした構造や、図示省略したが、支持脚３の下端に短いねじ式の接地部材をねじ込み、この接地部材を回転させて高さ調整を行うものが提案されている。
【０００７】
【発明が解決しようとする課題】
ところで、調整スペーサ５を用いた前者の調整構造は、踏み板の高さの調整が段階的となり、細かな調整ができないだけでなく、調整作業を行うには、ねじ式の接地部材４を取り外し、調整スペーサ５を選択して接地部材４を支持脚３に取り付けなければならないので、調整作業に手間と時間がかかるという問題がある。
【０００８】
また、踏み板２の四隅に支持脚３を設けた踏み台１は、前面側から見た場合、踏み板２の下部が空間となり、この空間に足が入り込むことがあるため、昇るときに危険を伴うと共に、前面側からの見栄えが悪いという問題がある。
【０００９】
更に、後者の調整構造は、高さの調整は接地部材を回転させるだけでよいが、調整可能な範囲が微調整となり、大きな調整を行うことができないという問題がある。
【００１０】
そこで、この発明の課題は、踏み板の高さを無段階に調整することができると同時に、調整範囲を大きく確保することで踏み板を必要な高さに簡単にセットすることができ、しかも、足が踏み板の下部に入ることのないようにして、安全性と前面からの見栄えを向上させることができる踏み台を提供することにある。
【００１１】
【課題を解決するための手段】
上記のような課題を解決するため、この発明は、矩形状踏み板の下面四隅に高さの調節が可能な支持脚を設け、各支持脚が、踏み板の下面に固定した筒状の上部脚体と、上記上部脚体内に納まることができ、この上部脚体の下端部から出没自在となる下部脚体と、上記下部脚体を貫通し、上部脚体側に設けたねじ孔に螺合した高さ調整ねじとで無段階の高さ調節可能に形成され、上記矩形状踏板の前部側で両側に位置する前部支持脚の間に、上部脚体間に張設した固定前面パネルと、下部脚体間に張設され、固定前面パネルの背面側でこの下部脚体と一体に上下動する可動前面パネルを設けた構成を採用したものである。
【００１２】
上記前部支持脚の上部脚体に、両側前部支持脚の互いに対向する側で固定前面パネルよりも後方の位置に、下端で開放する上下方向の切れ目を設け、下部脚体間に張設した可動前面パネルの端部がこの切れ目内に上下動可能に収まり、上記固定前面パネルと可動前面パネルは、下部脚体が最も下降位置にあるときでも、前後の重なり部分を確保するように設けられている構造とすることができる。
【００１３】
ここで、上記した踏み板と各支持脚、固定前面パネル及び可動前面パネルは木材を使用し、踏み板の上面に両側方向の滑り止め用の溝が複数形成されていると共に、下部脚体の軸心を上下に貫通する高さ調整ねじは、その頭部が下部脚体の下端に位置し、この頭部に設けた工具係合溝にドライバーを係合させて高さ調整ねじを回転させることにより、上部脚体に対して下部脚体の位置を上下に無段階に調整することができ、高さ調整ねじの下端頭部には、ゴム等の弾性材料からなる接地キャップが着脱可能に取り付けてある。
【００１４】
また、上部脚体の軸心には、筒状の埋め込みねじボスが固定され、このねじボスの内周に形成したねじ孔に高さ調整ねじがねじ込まれている。
【００１５】
【発明の実施の形態】
以下、この発明の実施の形態を図１乃至図６の図示例と共に説明する。
【００１６】
図示のように、踏み台１１は、人が載ることのできる所定の平面的な大きさと板厚を有する矩形状の踏み板１２の下面で四隅の位置に、高さの調節が可能な支持脚１３を固定配置し、踏み板１２の前部下面で両側前部に位置する前部支持脚１３ａの間に、固定前面パネル１４と可動前面パネル１５を張設し、踏み板１２の下面で両側後部の後部支持脚１３ｂ間及び前後の支持脚１３ａと１３ｂ間に縁板１６が固定され、各支持脚１３は内側コーナ位置と踏み板１２の間に設けた三角形の補強ブラケット１７で補強されている。
【００１７】
上記したこれらの各構成部材は、木材を用いて形成され、その組み立ては釘やビスを用いて各構成部材を結合することにより行われ、上記踏み板１２は、上面に両側方向の滑り止め用の溝１８が複数形成され、この上面に滑り止め用の塗装が施されている。
【００１８】
上記した各支持脚１３は、図３乃至図５のように、下半部が筒状で内部が縦孔１９となり、踏み板１２の下面に垂直に固定した上部脚体２０と、上記上部脚体２０の下半部の縦孔１９内に納まることができ、この上部脚体２０の下端部から出没自在となる円軸状の下部脚体２１と、上記下部脚体２１を上下に貫通し、上部脚体２０側に設けたねじ孔２２に螺合した高さ調整ねじ２３とで無段階の高さ調節可能に形成されている。
【００１９】
上記上部脚体２０は下部脚体２１よりも長尺とし、上部脚体２０の下半部の縦孔１９を下部脚体２１の全長が納まる程度の上下長さとすることにより、各支持脚１３の上下長さの調整範囲を大きく確保することができることになる。
【００２０】
上記上部脚体２０の軸心には、筒状の埋め込みねじボス２４が固定され、このねじボス２４の内周に形成したねじ孔２２に高さ調整ねじ２３がねじ込まれていると共に、下部脚体２１の軸心を上下に貫通する高さ調整ねじ２３は、その頭部２５が下部脚体２１の下端に位置し、この頭部２５に設けた工具係合溝にドライバーを係合させて高さ調整ねじ２３を回転させることにより、上部脚体２０に対して下部脚体２１の位置を上下に無段階に調整することができ、高さ調整ねじ２３の下端頭部には、ゴム等の弾性材料からなる接地キャップ２６が着脱可能に取り付けてある。
【００２１】
上記固定前面パネル１４は、踏み板１２の前部側で両側に位置する前部支持脚１３ａの間に、両端を上部脚体２０に固定し、上端面を踏み板１２の下面に固定して張設され、また、可動前面パネル１５は、下部脚体２１の間に、両端をこの下部脚体２１に固定して張設され、固定前面パネル１４の背面側でこの下部脚体２１と一体に上下動するようになっている。
【００２２】
図３（ｃ）と図４のように、上記両側の前部支持脚１３ａは、上部脚体２０に、両側前部支持脚１３ａの互いに対向する側で固定前面パネル１４よりも後方の位置に、下端で開放する上下方向の切れ目２７が設けられ、下部脚体２１間に張設した可動前面パネル１５の端部がこの切れ目２７内に上下動可能に収まり、上記固定前面パネル１４と可動前面パネル１５は、下部脚体２１が最も下降位置にあるときでも、前後の重なり部分を確保するように設けられている。
【００２３】
上記踏み台１１を玄関の土間に配置したとき、この踏み台１１が移動することのないよう、玄関Ａの框Ｂにこの踏み台１１を固定するための複数個の固定金具３１が用いられている。
【００２４】
この固定金具３１は、玄関Ａの框Ｂに上端を固定する框側金具３２と、踏み台１１の踏み板１２に固定する踏み台側金具３３の組み合わせからなり、框側金具３２は、図６のように、上下に長い帯板状の金属板を用い、この金属板に、上端が横長部分となって下方に延びるＴ字形の孔３４が設けられ、金属板は上部の途中が後方に一段屈曲し、その上端に框へ固定する釘の打ち込み孔３５を設けた構造になっている。
【００２５】
また、踏み台側金具３３は、踏み板１２の後端面に釘の打ち込みで固定する固定板３６の上端に、後方に向けて屈曲する平面Ｔ字形の係止片３７を設けて形成され、この係止片３７をＴ字形の孔３４に上端の横長部分から挿入して下方にスライドさせることにより、踏み台側金具３３と框側金具３２は前後に抜け止め状に結合され、図２のように、この固定金具３１により、踏み台１１は玄関Ａの框Ｂに固定化されることになる。
【００２６】
上記固定金具３１は、框側金具３２に対して踏み台側金具３３が上下に移動可能となるので、踏み台１１の高さ調整に支障を与えないと共に、踏み台１１を持ち上げて係止片３７を孔３４の上端横長部分から抜き取れば、踏み台１１を玄関Ａの框Ｂから取り外すことができる。
【００２７】
この発明の踏み台１１は、上記のような構成であり、図２のように、この踏み台１１を玄関Ａの昇り口における土間に、その固定前面パネル１４と可動前面パネル１５が前面側に位置するよう設置し、一対の固定金具３１を用いて玄関Ａの框Ｂに踏み板１２を固定すればよく、踏み板１２は四隅が各支持脚１３で水平に支持され、踏み板１２の前面側下部は、固定前面パネル１４と可動前面パネル１５で閉鎖され、踏み板１２の下に足を突っ込むようなことがないと共に、正面からの見栄えがよくなり、また、踏み板１２で玄関Ａと土間の段差を階段状とし、段差の途中に位置する踏み板１２を介して玄関Ａの昇り降りを行うことにより、昇り降りの動作が体力を要することなく安全に行えるようにすることができる。
【００２８】
このような踏み台１１において、踏み板１２の高さを調節するには、各支持脚１３の下端に位置する接地キャップ２６を高さ調整ねじ２３の頭部２５から取り外し、高さ調整ねじ２３の頭部２５に設けた工具係合溝にドライバーを係合させて高さ調整ねじ２３を回転させることによって行う。
【００２９】
高さ調整ねじ２３をねじ孔２２に対してねじ込む方向に回転させると、下部脚体２１が上部脚体２０の縦孔１９内に進入し、各支持脚１３は短くなることで踏み板１２の高さを低く調節することができ、また、高さ調整ねじ２３をねじ孔２２に対して抜ける方向に回転させると、各支持脚１３は長くなることで踏み板１２の高さを高く調節することができ、このように、高さ調整ねじ２３の回動操作により、踏み板１２の高さを上下に無段階に調整することができ、調整後は接地キャップ２６を高さ調整ねじ２３の頭部２５に取り付ければよい。
【００３０】
上記のような高さの調節において、後部支持脚１３ｂはそれぞれ独自に調整操作を行えばよく、これに対して前部支持脚１３ａは、下部脚体２１が可動前面パネル１５で結合されているので、両前部支持脚１３ａは高さ調整ねじ２３を同時に回動させることで調整操作を行うようにする。
【００３１】
上記のように、高さ調整ねじ２３の回転による下部脚体２１の上下動により、踏み板１２の高さを調節するので、踏み板１２の高さを玄関Ａの条件等に合わせて無段階に調整することができる。
【００３２】
両前部支持脚１３ａの調整時に、下部脚体２１と可動前面パネル１５は一体に上下動することになり、調整後において、可動前面パネル１５は固定前面パネル１４との重なり状態が確保されているので、踏み板１２の前面側下部は閉鎖されている。
【００３３】
また、土間に設置した踏み台１１は、上下に位置が変化可能な一対の固定金具３１で玄関Ａの框Ｂに固定されているので、踏み台１１を持ち上げて係止片３７を孔３４の横長部分から抜き取れば、踏み台１１を玄関Ａの框Ｂから取り外すことができ、踏み台１１の高さ調整作業に支障を与えないと共に、框Ｂから取り外せば土間を掃除するような場合に邪魔にならないようにすることができる。
【００３４】
【発明の効果】
以上のように、この発明によると、踏み板の下面四隅に設けた各支持脚を、踏み板の下面に固定した筒状の上部脚体と、上記上部脚体内に納まることができ、この上部脚体の下端部から出没自在となる下部脚体と、上記下部脚体を貫通し、上部脚体側に設けたねじ孔に螺合した高さ調整ねじとで無段階の高さ調節可能に形成したので、踏み板の高さ調整範囲を大きく確保することで、無段階の高さ調節により天板を必要な高さに簡単にセットすることができ、しかも、高さ調整ねじを回動させるだけでよいので、調整作業が簡単容易に行えることになる。
【００３５】
また、踏み板の前部側で両側の前部支持脚の間に、上部脚体間に張設した固定前面パネルと、下部脚体間に張設され、固定前面パネルの背面側でこの下部脚体と一体に上下動する可動前面パネルを設けたので、高さ調整を行っても常に足が天板の下部に入ることのないようにでき、安全性と前面からの見栄えを向上させることができる。
【図面の簡単な説明】
【図１】この発明に係る踏み台の下から見た斜視図
【図２】この発明に係る踏み台の使用状態を示す斜視図
【図３】（Ａ）は前部脚体を最も長く調整した状態の縦断正面図、（Ｂ）は前部脚体を最も短く調整した状態の縦断正面図、（Ｃ）は（Ｂ）の矢印ｃ−ｃの横断平面図
【図４】前部脚体を最も長く調整した状態の縦断側面図
【図５】（Ａ）は後部脚体を最も長く調整した状態の縦断正面図、（Ｂ）は後部脚体を最も短く調整した状態の縦断正面図
【図６】踏み台を玄関の框に固定する固定金具の分解斜視図
【図７】従来の踏み台とその高さ調整機構を示す斜視図
【符号の説明】
１１    踏み台
１２    踏み板
１３    支持脚
１３ａ  前部支持脚
１３ｂ  後部支持脚
１４    固定前面パネル
１５    可動前面パネル
１６    縁板
１７    補強ブラケット
１８    滑り止め用の溝
１９    縦孔
２０    上部脚体
２１    下部脚体
２２    ねじ孔
２３    高さ調整ねじ
２４    埋め込みねじボス
２５    頭部
２６    接地キャップ
２７    切れ目
３１    固定金具
３２    框側金具
３３    踏み台側金具
３４    孔
３５    釘の打ち込み孔
３６    固定板
３７    係止片
【図１】
2005002718.tif 000003
【図２】
2005002718.tif 000004
【図３】
2005002718.tif 000005
【図４】
2005002718.tif 000006
【図５】
2005002718.tif 000007
【図６】
2005002718.tif 000008
【図７】
2005002718.tif 000009